(57)【要約】【課題】洗剤自動投入装置を備えるものにあって、洗剤の補充のための作業性を良好とすることができ、しかも給水経路を比較的短く済ませる。【解決手段】洗濯機は、本体内に設けられ洗濯水が溜められる水槽と、給水源からの水を給水経路を通して前記水槽に供給するための給水弁と、洗剤を貯留する洗剤タンクを有し前記給水経路の途中の洗剤供給部に対し前記洗剤タンクから所定量の洗剤を供給する洗剤自動投入装置と、前記給水経路の途中に設けられ１回分の洗濯に用いられる洗剤を収容可能な手動用洗剤収容部とを備え、前記本体の上部の後部に前記給水弁が設けられ、前記本体の上部の前部に前記洗剤自動投入装置が設けられ、それらの間に前記手動用洗剤収容部が設けられている。【選択図】図１
2020108698.tif 000002
【特許請求の範囲】
【請求項１】
本体内に設けられ洗濯水が溜められる水槽と、
給水源からの水を給水経路を通して前記水槽に供給するための給水弁と、
洗剤を貯留する洗剤タンクを有し前記給水経路の途中の洗剤供給部に対し前記洗剤タンクから所定量の洗剤を供給する洗剤自動投入装置と、
前記給水経路の途中に設けられ１回分の洗濯に用いられる洗剤を収容可能な手動用洗剤収容部とを備え、
前記本体の上部の後部に前記給水弁が設けられ、前記本体の上部の前部に前記洗剤自動投入装置が設けられ、それらの間に前記手動用洗剤収容部が設けられている洗濯機。
【請求項２】
前記洗剤自動投入装置の洗剤供給部は、前記給水経路に設けられ、前記手動用洗剤収容部は、それより下流側に設けられている請求項１記載の洗濯機。
【請求項３】
前記洗剤自動投入装置の洗剤供給部は、前記給水弁の高さよりも低い位置にあり、前記給水経路は、前記洗剤供給部の下流で上昇して前記手動用洗剤収容部の上方から注水するように構成されている請求項２記載の洗濯機。
【請求項４】
前記給水経路のうち最低部分には、前記給水弁の停止時に水を抜くための水抜き経路が設けられている請求項３記載の洗濯機。
【請求項５】
前記給水弁は、自動用と手動用とが設けられ、そのうち自動用給水弁を通った水が第１給水経路を通って前記洗剤自動投入装置の洗剤供給部に至り、前記手動用給水弁を通った水が第２給水経路を通って前記手動用洗剤収容部の後部上方から注水するように構成されている請求項１記載の洗濯機。
【発明の詳細な説明】
【技術分野】
【０００１】
本発明の実施形態は、洗濯機に関する。
【背景技術】
【０００２】
洗濯運転を自動で実行する例えばドラム式の洗濯機においては、一般に、本体の上部前部に引出し式の洗剤収容ケースが設けられ、ユーザが洗濯開始前に洗剤収容ケースに必要量の洗剤や柔軟剤を収容させておくことにより、洗濯運転時にそれらが給水と共に水槽内に供給される。近年、ユーザの利便性向上の要望に応えるため、手動用の洗剤収容ケースに加えて、洗剤や柔軟剤などの洗濯処理剤をタンク内に予め複数回分貯留しておき、洗濯運転中に必要量をタンクから自動的に水槽内へ投入する洗剤自動投入装置を設けることが考えられている（例えば特許文献１参照）。
【先行技術文献】
【特許文献】
【０００３】
【特許文献１】特開２０１８−１１６１８号公報
【発明の概要】
【発明が解決しようとする課題】
【０００４】
上記従来のものでは、本体の上部のうち、前部に手動用の洗剤収容ケースが設けられ、その後部に洗剤自動投入装置が設けられ、本体の後部に給水弁が設けられるといった配置であった。そのため、従来構成では、例えば洗濯処理剤をタンクに補充等する際に、ユーザは、洗濯機の後方まで腕を大きく伸ばして作業しなければならず、作業性が悪かった。また、本体後部の給水弁から本体前部の洗剤収容ケースまで給水経路が延びている構成となるため、給水経路が比較的長くなっていた。
そこで、洗剤自動投入装置を備えるものにあって、洗剤の補充のための作業性を良好とすることができ、しかも給水経路を比較的短く済ませることができる洗濯機を提供する。
【課題を解決するための手段】
【０００５】
実施形態の洗濯機は、本体内に設けられ洗濯水が溜められる水槽と、給水源からの水を給水経路を通して前記水槽に供給するための給水弁と、洗剤を貯留する洗剤タンクを有し前記給水経路の途中の洗剤供給部に対し前記洗剤タンクから所定量の洗剤を供給する洗剤自動投入装置と、前記給水経路の途中に設けられ１回分の洗濯に用いられる洗剤を収容可能な手動用洗剤収容部とを備え、前記本体の上部の後部に前記給水弁が設けられ、前記本体の上部の前部に前記洗剤自動投入装置が設けられ、それらの間に前記手動用洗剤収容部が設けられている。
【図面の簡単な説明】
【０００６】
【図１】第１の実施形態を示すもので、ドラム式洗濯機の外観を示す斜視図
【図２】ドラム式洗濯機の上面図
【図３】水槽の上面図
【図４】水槽の左側面図
【図５】給水経路部分の上面図
【図６】給水経路部分の正面図
【図７】給水経路部分の左側面図
【図８】第２の実施形態を示すもので、第１給水経路を示す要部の上面図
【図９】第２給水経路を示す要部の上面図
【図１０】給水機構部分の背面図
【図１１】第１給水経路部分の正面図
【図１２】要部の右側面図
【発明を実施するための形態】
【０００７】
（１）第１の実施形態
以下、乾燥機能も有するドラム式の洗濯機（洗濯乾燥機）に適用した第１の実施形態について、図１〜図７を参照しながら説明する。図１、図２は、本実施形態に係る洗濯機としてのドラム式洗濯機の上部の外観を示している。また、図３、図４は、ドラム式洗濯機の外箱を取外した水槽の外観構成を示している。
【０００８】
ここで、ドラム式洗濯機の本体（外箱）１は、ほぼ矩形箱状をなし、本体１の前面部には、ほぼ中央部に位置して、衣類が出し入れされる円形状の出入口２が設けられていると共に、その出入口２を開閉するため扉３が開閉可能に取付けられている。本体１の上面部の前部右部には、電源スイッチ４や操作パネル５が設けられている。本体１内には、図３及び図４に示すように、前面が開口したほぼ円筒状をなし前記出入口２に連通し洗濯水が溜められる水槽６が、弾性支持機構（図示せず）を介して弾性的に支持されて設けられている。
【０００９】
詳しく図示はしないが、前記水槽６内には、衣類が収容される収容槽としてのドラムが設けられる。このドラムは、前記水槽６よりもやや径小な円筒状をなし、その背面側中心部が、ドラムモータ等からなる駆動機構に接続されて回転駆動されるようになっている。また、本体１内には、水槽６の上部左側に位置して該水槽６内への給水を行うための給水機構７が設けられている。この給水機構７については後述する。図示はしないが、水槽６の後部の底部には排水口が設けられていて、この排水口に、排水弁を介して排水管が接続されている。
【００１０】
尚、これも図示はしないが、前記本体１内には、前記水槽６（ドラム）内に、乾燥用の温風を循環供給するための乾燥機構が設けられる。この乾燥機構は、水槽６の上面右寄り部位の排気口８（図３参照）から、水槽６の背面部の左寄り部位の給気口まで水槽６の外部において風路を形成する乾燥風循環ダクトを備えると共に、その途中部に、循環風の除湿及び加熱を行って乾燥風を生成するヒートポンプ及び送風装置を備えて構成されている。前記乾燥風循環ダクトのうち、排気口８から本体１内の上部の右側辺部を後方に向けて延びる部分に、乾燥風からリントを捕獲するためのフィルタユニット９（図１、図２参照）が出し入れ可能に設けられている。
【００１１】
さて、前記給水機構７について、図５〜図７も参照して述べる。図３〜図７に示すように、給水機構７は、本体１内の左側上部の後部に設けられた給水弁ユニット１０、本体１内の左側上部の前部に設けられた洗剤自動投入装置１１、それらの中間に設けられた注水ケース１２及び手動用収容ケース１３、給水弁ユニット１０から注水ケース１２につながるメイン給水経路１４、注水ケース１２から水槽６内に給水を行うための給水ダクト１５等を備えている。尚、本実施形態では、洗剤（液体及び粉末）並びに柔軟剤（ソフター）を、自動及び手動で水槽６内に供給可能な構成となっている。
【００１２】
図５、図６等に示すように、前記給水弁ユニット１０は、フレーム１０ａに、電磁的に開閉動作するメイン給水弁１６及び柔軟剤用給水弁１７を左右に組付けて構成されている。また、給水弁ユニット１０には、メイン給水弁１６の下側に位置してダクト洗浄用給水弁１８（図７参照）も設けられている。図２にも示すように、給水弁ユニット１０の上部には、接続口１９が本体１の上面に露出するように設けられ、この接続口１９に、給水源としての水道の蛇口が接続される。接続口１９は、下方で２つに分岐してメイン給水弁１６の入口部及び柔軟剤用給水弁１７の入口部に夫々接続されている。
【００１３】
図５に示すように、メイン給水弁１６の出口部が、前記メイン給水経路１４の入口部に接続され、柔軟剤用給水弁１７の出口部が、柔軟剤用給水経路２０の入口部に接続されている。これらメイン給水経路１４及び柔軟剤用給水経路２０については、後述する。尚、給水弁ユニット１０の右側には、風呂の残り湯等を汲み上げるための給水ポンプ２１が組込まれている。また、前記ダクト洗浄用給水弁１８は、前記乾燥風循環ダクトの一部（排気口８の近傍）を水洗いするためのものである。
【００１４】
前記注水ケース１２は、プラスチックから、上面から見てやや横長な矩形箱状に構成され、その上面部に、前記手動用収容ケース１３が載置状に設けられている。図４、図７に示すように、注水ケース１２の下端部には、前記給水ダクト１５の基端部である上端部が接続され、給水ダクト１５の先端部である下端部が、前記水槽６の給水口に接続されている。
【００１５】
前記手動用収容ケース１３は、図５等に示すように、プラスチックから構成され、共に上面が開放した薄型容器状をなす手動用洗剤収容部１３ａと、手動用柔軟剤収容部１３ｂとを、右左に並んで一体的に有している。手動用洗剤収容部１３ａには、例えば１回分の洗剤（粉末洗剤）が収容され、手動用柔軟剤収容部１３ｂには、ソフターと称される１回分の柔軟仕上剤（以下単に「柔軟剤」と称する）が必要に応じて収容される。この場合、手動用洗剤収容部１３ａの方が、手動用柔軟剤収容部１３ｂよりも大きく、つまり横幅が広くて容量が大きくなるように構成されている。
【００１６】
図１、図２に示すように、本体１の上面には、前記手動用収容ケース１３の上面に対応した開口が設けられると共に、その開口を開閉するための蓋２２が開閉操作可能に設けられている。ユーザは、蓋２２を開放させ、手作業で洗濯１回分の洗剤や柔軟剤を収容させるようになっている。このとき、図５に示すように、手動用洗剤収容部１３ａの上部前端部に、注水口２３が設けられ、手動用柔軟剤収容部１３ｂの上部後端部に、柔軟剤用注水口２４が設けられている。また、詳しく図示はしないが、これら手動用洗剤収容部１３ａ及び手動用柔軟剤収容部１３ｂの底部には、注水ケース１２に排水するための排出穴が設けられている。
【００１７】
前記メイン給水経路１４は、図５〜図７に示すように、メイン給水弁１６の出口部から、注水ケース１２の左側部を通るようにてしてほぼ水平に前方に延び、注水ケース１２を通り過ぎたところで下方にほぼ直角に折曲がり、その下端部で右方にほぼ直角に折曲がる。そして、注水ケース１２の前面側下部を右方に延びその右端部でほぼ直角に折曲って上方に延び、前記注水口２３につながるように構成されている。尚、メイン給水経路１４のうち注水口２３につながる上昇部分は、他の部分よりも断面積が小さく構成され、水圧によって給水が注水口２３まで上昇するように構成されている。
【００１８】
これにて、図５〜図７に太矢印で示すように、メイン給水弁１６が開放されると、前記接続口１９から供給された水道水が、メイン給水経路１４に流入し、前方に流れたのち下方に向けて流れ、さらに注水ケース１２の前部下部を右方向に流れ、上昇した後注水口２３から手動用洗剤収容部１３ａ内に供給される。手動用洗剤収容部１３ａに供給された水は、そのまま、或いは手動用洗剤収容部１３ａ内に洗剤が収容されている場合にはその洗剤を溶かしながら、下方の注水ケース１２内に流れ、注水ケース１２から給水ダクト１５を通って水槽６内に供給される。
【００１９】
このとき、図５、図６に示すように、前記メイン給水経路１４のうち、注水ケース１２の前部下側を左から右に延びる部分の中央部が、洗剤自動投入装置１１の洗剤供給部２５とされている。従って、洗剤供給部２５は、メイン給水経路１４の上流側に設けられ、手動用洗剤収容部１３ａはそれより下流側に設けられている。後述するように、洗剤供給部２５には、洗剤自動投入装置１１により、所要量の洗剤或いは柔軟剤が自動で供給されるようになっている。
【００２０】
また、図５に示すように、前記柔軟剤用給水経路２０は、前記柔軟剤用給水弁１７の出口部から前方に延び、その後上昇して柔軟剤用注水口２４に接続されている。これにて、図５に白抜きの矢印で示すように、柔軟剤用給水弁１７が開放されると、接続口１９から供給された水道水が、柔軟剤用給水経路２０を通って柔軟剤用注水口２４から手動用柔軟剤収容部１３ｂに供給される。手動用柔軟剤収容部１３ｂに供給された水は、収容されている柔軟剤を溶かしながら、下方の注水ケース１２内に流れ、注水ケース１２から給水ダクト１５を通って水槽６内に供給される。
【００２１】
尚、本実施形態では、図７に示すように、注水口２３の高さ位置Ａ、メイン給水弁１６の出口の高さ位置Ｂ、メイン給水経路１４の下部（洗剤供給部２５）の高さ位置Ｃとの関係は、高さ位置Ａが最も高く、高さ位置Ｂ、高さ位置Ｃの順となる。また、本実施形態では、メイン給水経路１４の最低部分には、水抜き経路２６が設けられている。図６、図７に示すように、水抜き経路２６は、例えば、メイン給水経路１４左端底部と注水ケース１２の下部とをつなぐ細い管路として設けられ、これにより、メイン給水弁１６の閉塞時に、メイン給水経路１４内に水が溜まらないように構成されている。
【００２２】
前記洗剤自動投入装置１１は、図２〜図４に示すように、本体１に対して、前面側から出し入れ可能に設けられた引出し式のタンクケース２７と、その後部に配置されるポンプ２８とを備えている。タンクケース２７は、上面が開放した前後に長い矩形箱状をなし、本体１内の左上部に前後方向にスライド移動自在に支持されている。タンクケース２７の前面には、手掛け部２９ａを有する前扉２９が設けられている。タンクケース２７は、前扉２９が本体１内の前面左上部の開口部を閉塞する収納位置（図１等参照）と、その収納位置から前方に引き出された引出し位置（図２参照）との間で出し入れ可能とされている。
【００２３】
前記タンクケース２７内には、洗剤タンク３０と柔軟剤タンク３１とが、左右に並んで取り外し可能に設けられている。詳しく図示はしないが、これら洗剤タンク３０及び柔軟剤タンク３１は、共に前後方向に細長いタンク状をなし、ユーザが蓋を開けて洗剤、柔軟剤を補充することができるように構成されている。この場合、洗剤タンク３０内には、複数回分の洗濯に使用可能な液体洗剤が収容され、柔軟剤タンク３１内には、複数回分の洗濯に使用可能な柔軟仕上剤が収容される。
【００２４】
詳しく図示はしないが、前記ポンプ２８は、２組の吸入口及び吐出口２８ａ（図６参照）を有しており、モータを駆動源として構成されている。このポンプ２８は、モータの回転方向（通電方向）の切替により、液体を吸い込む吸入口及び吐出する吐出口２８ａを切替える構成とされている。このとき、一方の吸入口が洗剤タンク３０側に接続され、モータの一方向の回転により洗剤を汲み上げて一方の吐出口２８ａから吐出するように構成されている。他方の吸入口が柔軟剤タンク３１側に接続され、モータの他方向の回転により柔軟剤を汲み上げ、他方の吐出口２８ａから吐出するように構成されている。このポンプ２８の２個の吐出口２８ａは、図５〜図７にも示すように、メイン給水経路１４の洗剤供給部２５の上方に左右に配置されている。また、ポンプ２８の駆動時間によって、洗剤や柔軟剤の吐出量、即ち洗剤供給部２５への供給量が制御される。
【００２５】
これにて、洗剤自動投入装置１１は、ポンプ２８の駆動により、洗剤タンク３０内に収容されていた洗剤を、所要量だけ洗剤供給部２５に供給することができ、また、柔軟剤タンク３１内に収容されていた柔軟剤を、所要量だけ洗剤供給部２５に供給することができる。ポンプ２８の吐出口２８ａがメイン給水経路１４に接続されていることで、洗剤の供給経路が全体的に短くなり、また、供給経路内での洗剤の固着も防止できる。このとき、洗剤供給部２５に、洗剤或いは柔軟剤が供給されている状態で、前記メイン給水弁１６がオンされてメイン給水経路１４に給水がなされると、その水は洗剤供給部２５において洗剤或いは柔軟剤を溶かしながら流れる。給水により吐出口２８ａを洗い流すことができるので、洗剤が吐出口２８ａ部分で固着することも防止できる。そして、洗剤或いは柔軟剤は給水と共に注水口２３から手動用洗剤収容部１３ａに供給され、更に注水ケース１２から給水ダクト１５を通って水槽６内に供給される。
【００２６】
図示はしないが、本体１内には、例えばマイクロコンピュータを主体に構成され、洗濯機全体の制御を行う制御装置が設けられている。制御装置は、操作パネル５においてユーザにより設定される運転コースに応じて、各センサからの入力信号や予め記憶された制御プログラムに基づいて、前記給水弁ユニット１０の各給水弁１６、１７、１８、洗剤自動投入装置１１のポンプ２８、ドラムモータ、排水弁、乾燥機構等を制御する。これにて、洗い行程、すすぎ行程、脱水行程からなる洗濯運転や、乾燥運転を自動で実行する。これら洗濯運転や乾燥運転の各行程の詳細については、周知であるのでここでは説明を省略する。
【００２７】
本実施形態では、ユーザは、洗濯運転を実行させるにあたって、洗剤自動投入装置１１により自動で洗剤及び柔軟剤を投入するか、或いは、手動用収容ケース１３を用いて手動で１回分の洗剤や柔軟剤を投入するかを、操作パネル５上で選択操作できるようになっている。ユーザは、手動での投入を選択した場合には、洗濯運転開始時に、予め、蓋２２を開放して手動用収容ケース１３の手動用洗剤収容部１３ａに必要量の洗剤（粉末洗剤）を収容しておく。また柔軟剤を用いる場合には、上記と併せて、手動用柔軟剤収容部１３ｂに所要量の柔軟剤を投入しておく。
【００２８】
制御装置は、洗剤及び柔軟剤の自動投入が選択されている場合には、洗い行程の給水開始前に、洗剤自動投入装置１１により所要量の洗剤を洗剤供給部２５に供給し、その後、メイン給水弁１６をオンして給水を実行する。また、最終のためすすぎ行程の前に、洗剤自動投入装置１１により所要量の柔軟剤を洗剤供給部２５に供給しておき、その後、メイン給水弁１６を開放して給水を行う。これに対し、洗剤及び柔軟剤の手動での投入が選択されている場合には、洗剤自動投入装置１１を動作させることなく、メイン給水弁１６により洗い行程の給水を実行する。そして、最終のためすすぎ行程の給水時には、メイン給水弁１６でなく柔軟剤用給水弁１７を開放させて給水を行う。
【００２９】
次に、上記構成の洗濯機の作用・効果について述べる。上記洗剤自動投入装置１１を使用する準備として、ユーザは、洗剤タンク３０内に洗剤を収容させておくと共に、柔軟剤タンク３１に柔軟剤を収容させておく。タンク３０、３１に対する洗剤、柔軟剤の収容、補充の作業は、次のように行うことができる。即ち、ユーザは、本体１の前面の前扉２９の手掛け部２９ａに手指を掛けて、収納位置にあるタンクケース２７を手前に引き出す。タンクケース２７の引出し位置で、洗剤タンク３０又は柔軟剤タンク３１を上方に取出し、タンク３０、３１に対する洗剤、柔軟剤の補充作業を行う。補充作業後、タンク３０、３１をタンクケース２７に戻し、タンクケース２７を押込んで収納位置に戻す。尚、各タンク３０、３１の上面に蓋を設けて、タンクケース２７を引出してその蓋を開けて（タンク３０、３１を取出さずに）、洗剤、柔軟剤の補充作業を行うように構成することもできる。
【００３０】
洗濯機において洗濯運転を実行させるにあたっては、ユーザは、電源スイッチ４を操作して電源をオンし、ドラム内に衣類を収容する。これと共に、操作パネル５により運転コースを選択する。このとき、洗剤及び柔軟剤の手動投入を選択した場合には、ユーザは、本体１上面の蓋２２を開け、手動用収容ケース１３の手動用洗剤収容部１３ａに必要量の洗剤を収容させ、手動用柔軟剤収容部１３ｂに所要量の柔軟剤を投入し、洗濯運転をスタートさせる。洗剤及び柔軟剤の自動投入を選択した場合には、そのまま洗濯運転をスタートさせることができる。
【００３１】
制御装置は、洗濯運転がスタートされると、洗濯機の各機構を制御し、周知の洗い、すすぎ、脱水の各行程からなる洗濯運転を自動で実行する。このとき、洗い行程では、まず、水槽６内への所定水位までの給水が行われるのであるが、洗剤の自動投入が選択されている場合には、給水開始前に、洗剤自動投入装置１１のポンプ２８を制御することにより、洗剤供給部２５に対し所要量の洗剤が供給される。給水動作においては、メイン給水弁１６が開放される。
【００３２】
メイン給水弁１６が開放されると、図５〜図７に太矢印で示すように、給水源（水道）からの水がメイン給水経路１４を流れ、洗剤供給部２５部分を通った後、上昇して注水口２３から手動用収容ケース１３の手動用洗剤収容部１３ａ内に注がれる。洗剤供給部２５に洗剤が自動で供給されていた場合には、その洗剤を溶かしながら流れ、手動用洗剤収容部１３ａから注水ケース１２及び給水ダクト１５を順に通って、水槽６内に洗剤を含んだ洗濯水が給水され、洗い行程が実行される。
【００３３】
一方、洗剤の手動投入が選択されていた場合には、洗剤供給部２５に洗剤が存在しないので、メイン給水経路１４を流れる水は、洗剤供給部２５部分をそのまま通過し、注水口２３から手動用洗剤収容部１３ａ内に注がれる。そして、手動用洗剤収容部１３ａ内に予め収容されていた洗剤を溶かしながら注水ケース１２に流れ、給水ダクト１５を通って水槽６内に洗剤を含んだ洗濯水が給水され、洗い行程が実行される。
【００３４】
この後、行程が進み、最後のためすすぎ行程の給水の前になると、洗剤の自動投入が選択されている場合には、洗剤自動投入装置１１のポンプ２８が駆動され、今度は洗剤供給部２５に対し所要量の柔軟剤が供給される。この後、メイン給水弁１６が開放され、メイン給水経路１４を流れる水が、洗剤供給部２５部分で柔軟剤を溶かしながら流れ、上昇して注水口２３から手動用収容ケース１３の手動用洗剤収容部１３ａ内に注がれる。柔軟仕上げ剤を含んだ洗濯水が、注水ケース１２及び給水ダクト１５を順に通って水槽６内に給水され、最後のためすすぎ行程が実行される。
【００３５】
これに対し、手動投入が選択されている場合には、最後のためすすぎ行程の給水が、メイン給水弁１６ではなく、柔軟剤用給水弁１７を開放させることにより行われる。柔軟剤用給水弁１７の開放により、図５に白抜き矢印で示すように、水が柔軟剤用給水経路２０を流れ柔軟剤用注水口２４から手動用柔軟剤収容部１３ｂ内に注がれる。そして、手動用柔軟剤収容部１３ｂ内に予め収容されていた柔軟剤を溶かしながら注水ケース１２に流れ、柔軟仕上げ剤を含んだ洗濯水が、給水ダクト１５を通って水槽６内に給水され、最後のためすすぎ行程が実行される。
【００３６】
ここで、本実施形態では、給水機構７のうち、給水弁ユニット１０（メイン給水弁１６）は本体１の後部に設けられ、本体１の前部に洗剤自動投入装置１１が設けられ、それらの間に、手動用収容ケース１３を設ける構成としている。洗剤自動投入装置１１は、本体１の上部の手前側に設けられているので、後部に配置される場合と比べて、ユーザは、洗剤タンク３０、柔軟剤タンク３１が取出しやすく、それらタンク３０、３１に対する洗剤、柔軟剤の補充作業を容易に行うことができる。特に、タンク３０、３１を取出して洗剤、柔軟剤の補充をした場合、タンク３０、３１が重くなる事情があるが、タンク３０、３１が手前側にあるため、装着が比較的容易となる。
【００３７】
そして、給水弁ユニット１０から手動用収容ケース１３の手動用洗剤収容部１３ａまでは近いので、その間の給水経路の長さも比較的短く済み、これと共に、給水弁ユニット１０のメイン給水弁１６から洗剤自動投入装置１１の洗剤供給部２５までの位置も、比較的近く、つまり手動用収容ケース１３の少し前にすることができるので、その間の給水経路の長さも短く済む。従って、メイン給水経路１４の長さを全体として比較的短く済ませることができる。また、柔軟剤用給水経路２０の長さも短く済ませることができる。
【００３８】
この結果、本実施形態によれば、洗剤自動投入装置１１を備えるものにあって、タンク３０、３１内への洗剤、柔軟剤の補充のための作業性を良好とすることができ、しかも、給水経路１４、２０を全体として比較的短く済ませることができるという優れた効果を得ることができる。このとき、本実施形態では、洗剤自動投入装置１１の後端側に洗剤供給部２５を配置することになり、これにより、洗剤自動投入装置１１の側部（正面視で周囲）に給水経路を設けなくても良くなる。そのため、洗剤自動投入装置１１をコンパクトに配置でき、言い換えると洗剤タンク３０、柔軟剤タンク３１の容量を大型化できることになる。
【００３９】
特に本実施形態では、洗剤自動投入装置１１の洗剤供給部２５は、メイン給水経路１４の上流側に設けられ、手動用洗剤収容部１３ａは、それより下流側に設けられている。これにより、メイン給水経路１４を、洗剤自動投入装置１１及び手動用洗剤収容部１３ａに対して共用化することができて、メイン給水弁１６も共用化して、給水経路の切り替えのための機構を不要とすることができる。従って、大幅な構成の簡単化や、制御の簡単化を図ることができ、コストダウンを図ることができる。
【００４０】
また、手動用洗剤収容部１３ａを用いる場合でも、給水が洗剤供給部２５を通過するようになり、これと共に、洗剤自動投入装置１１を用いる場合でも、給水が手動用洗剤収容部１３ａを通過するようになる。これにより、毎回の給水時に、洗剤供給部２５及び手動用洗剤収容部１３ａの洗浄を行うことができる。
【００４１】
本実施形態では、洗剤自動投入装置１１の洗剤供給部２５は、メイン給水弁１６の高さよりも低い位置にあり、メイン給水経路１４は、洗剤供給部２５の下流で上昇して手動用洗剤収容部１３ａの上方の注水口２５からから注水するように構成されている。これにより、メイン給水経路１４のうち洗剤供給部２５部分は、メイン給水弁１６の出口部の位置よりも低い位置にあるので、メイン給水弁１６に対する水の逆流を防止することができる。また、メイン給水経路１４は、洗剤供給部２５の下流で上昇して手動用洗剤収容部１３ａの上方から注水するように構成されているので、手動用洗剤収容部１３ａにおいて上方から勢い良く水を注ぐことができ、手動用洗剤収容部１３ａ内の粉末洗剤を効果的に流す、つまり流し残りなく流出させることが可能となる。
【００４２】
更に本実施形態では、メイン給水経路１４のうち最低部分には、メイン給水弁１６の停止時に水を抜くための水抜き経路２６を設けるようにした。メイン給水弁１５の停止時には、メイン給水経路１４のうちメイン給水弁１６の出口部から洗剤供給部２５部分にかけて水が溜まることが考えられるが、水抜き経路２６を設けたことにより、その部分に水が溜まったままとなることを未然に防止することができる。水が溜まったままとなることを防止することで、給水経路内での水の凍結を防止することができる。
【００４３】
（２）第２の実施形態、その他の実施形態
次に、図８〜図１４を参照して、第２の実施形態について述べる。尚、上記第１の実施形態と同一部分には、同一符号を付して新たな図示や詳しい説明を省略し、第１の実施形態と異なる点を中心に述べる。この第２の実施形態が、上記第１の実施形態と異なるところは、給水機構４１の構成にあり、給水弁を設ける数や、給水経路の具体的構成が上記第１の実施形態と異なっている。
【００４４】
即ち、給水機構４１は、本体１内の左側上部の後部に設けられた給水弁ユニット４２、本体１内の左側上部の前部に設けられた洗剤自動投入装置１１、それらの中間に設けられた注水ケース１２及び手動用収容ケース４３、給水弁ユニット４２から注水ケース１２につながる後述する３つの給水経路４４、４５、４６、注水ケース１２から水槽６内に給水を行うための給水ダクト１５等を備えている。
【００４５】
図１０等に示すように、前記給水弁ユニット４２は、フレーム４２ａに、電磁的に開閉動作する自動用給水弁４７、手動用給水弁４８、手動柔軟剤用給水弁４９、ダクト洗浄用給水弁１８を備えている。詳しく図示はしないが、給水源としての水道が接続される接続口は、４つに分岐し、各給水弁４７、４８、４９，１８の入口部に夫々接続されている。図８、図９に示すように、自動用給水弁４７の出口部が、第１給水経路４４の入口部に接続され、手動用給水弁４８の出口部が、第２給水経路４５の入口部に接続されている。手動柔軟剤用給水弁４９の出口部が、柔軟剤用給水経路４６の入口部に接続されている。
【００４６】
前記手動用収容ケース４３は、注水ケース１２の上面に載置状に設けられており、やはり、１回分の洗剤（粉末洗剤）が収容される手動用洗剤収容部４３ａと、１回分の柔軟剤が必要に応じて収容される手動用柔軟剤収容部４３ｂとを、右左に並んで一体的に有している。このとき、図９に示すように、手動用洗剤収容部４３ａの上部後端部に、洗剤用注水口５０が設けられ、手動用柔軟剤収容部４３ｂの上部後端部に、柔軟剤用注水口５１が設けられている。
【００４７】
前記第１給水経路４４は、図８、図１１に示すように、自動用給水弁４７の出口部から前方に延びた後、注水ケース１２の左側部を通るようにてしてほぼ水平に前方に延び、注水ケース１２を通り過ぎたところで下方にほぼ直角に折曲がり、その下端部で右方にほぼ直角に折曲がる。そして、注水ケース１２の前面側下部を右方に延びその右端部で注水ケース１２内に接続されている。このとき、第１給水経路４４のうち、注水ケース１２の前部下側を左から右に延びる部分の中央部が、洗剤自動投入装置１１の洗剤供給部２５とされている。
【００４８】
前記第２給水経路４５は、図９、図１２に示すように、手動用給水弁４８の出口部から右方に延びた後、直角に折曲がって水平に前方に延び、注水ケース１２の後部でほぼ直角に折曲って上方に延び、前記洗剤用注水口５０につながるように構成されている。前記柔軟剤用給水経路４６は、図８に示すように、手動柔軟剤用給水弁４９の出口部から前方に延び、注水ケース１２の後部でほぼ直角に折曲って上方に延び、前記柔軟剤用注水口５１につながるように構成されている。
【００４９】
これにて、自動用給水弁４７が開放されると、図８、図１１に太矢印で示すように、給水源（水道）からの水が第１給水経路４４を通り、洗剤供給部２５に洗剤又は柔軟剤が供給されている場合には、その洗剤又は柔軟剤を溶かしながら流れ、注水ケース１２、給水ダクト１５を順に通って水槽６内に供給される。従って、洗剤の自動投入が選択されている場合には、洗剤自動投入装置１１の制御及び自動用給水弁４７の制御により、給水と共に自動で洗剤や柔軟剤が水槽６内に投入される。
【００５０】
これに対し、前記手動用給水弁４８が開放されると、図９、図１２に細い矢印で示すように、給水源（水道）からの水が第２給水経路４５を通り、手動用洗剤収容部４３ａに対し、上方の洗剤用注水口５０から勢い良く水が注がれる。手動用洗剤収容部４３ａに洗剤（粉末洗剤）が収容されている場合には、その洗剤を溶かしながら注水ケース１内に落下し、給水ダクト１５を通って水槽６内に供給される。
【００５１】
また、前記手動柔軟剤用給水弁４９が開放されると、図８に白抜きの矢印で示すように、柔軟剤用給水経路４６を通って柔軟剤用注水口５１から手動用柔軟剤収容部４３ｂに供給される。手動用柔軟剤収容部４３ｂに供給された水は、収容されている柔軟剤を溶かしながら、下方の注水ケース１２内に流れ、給水ダクト１５を通って水槽６内に供給される。従って、洗剤の手動投入が選択されている場合には、それら手動用給水弁４８及び手動柔軟剤用給水弁４９が制御されることにより、手動用収容ケース４３内にユーザが投入しておいた洗剤や柔軟剤を、適切なタイミングで給水と共に水槽６内に供給することができる。
【００５２】
このような第２の実施形態によれば、本体１の前部に洗剤自動投入装置１１を配置し、手動用収容ケース４３をその後部に配置したので、上記第１の実施形態と同様に、ユーザは、洗剤タンク３０、柔軟剤タンク３１が取出しやすく、それらタンク３０、３１に対する洗剤、柔軟剤の補充作業を容易に行うことができる。また、洗剤自動投入装置１１の側部（正面視で周囲）に給水経路を設けなくても良いので、洗剤自動投入装置１１をコンパクトに配置でき、言い換えると洗剤タンク３０、柔軟剤タンク３１の容量を大型化することができる。
【００５３】
そしてこのとき、自動用給水弁４７と洗剤供給部２５との間の第１給水経路４４、及び、手動用給水弁４８と手動用洗剤収容部４３ａとの間の第２給水経路４５を、夫々、短い距離でつなぐことができ、構成の簡単化や省スペース化を図ることができる。また、洗剤供給部２５及び手動用洗剤収容部４３ａの夫々において、最適な形態、つまり洗剤残りのない状態で洗剤を流すことができる。
【００５４】
更に、詳しく述べなかったが、この第２の実施形態の構成においては、水槽６への給水時に、自動用給水弁４７と手動用給水弁４８とを同時に開放させる制御も可能となる。これにより、水槽６に対する単位時間当たりの給水量を増加させることができ、給水に要する時間の短縮化を図ることが可能となる。
【００５５】
尚、上記した各実施形態に限定されるものではなく、例えば洗剤自動投入装置の構成としても、次のような変更が可能である。即ち、洗剤の移送に用いるポンプとしてピストンポンプを採用したものであっても良く、また電磁弁の開閉によって洗剤を供給するもの等でも良い。洗剤タンク３０等を前方に引出して取出す構成のものとしたが、洗剤タンクを上方に取出す構成であっても良く、洗剤タンクを固定式にして蓋を開けて洗剤を注ぎ入れて補充するものであっても良い。洗剤タンク３０と柔軟剤タンク３１とを備える構成としたが、洗剤のみを自動で供給する構成としても良い。
【００５６】
また、上記実施形態では、乾燥機能付きのドラム式洗濯機に適用するようにしたが、いわゆる縦軸型の洗濯機に適用することもでき、また乾燥機能を備えていない洗濯機であっても良い。第１の実施形態における、水抜き経路２６は、必要に応じて設ければ良く、水抜き経路の他端部を、給水ダクト１５の途中部に接続したり、水槽６に直接的に接続したりしても良い。手動用収容ケースの形状や構造、給水経路の構成等についても、様々な変更が可能である。
【００５７】
以上、本発明の複数の実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５８】
図面中、１は本体、６は水槽、７、４１は給水機構、１０、４２は給水弁ユニット、１１は洗剤自動投入装置、１２は注水ケース、１３、４３は手動用収容ケース、１３ａ、４３ａは手動用洗剤収容部、１３ｂ、４３ｂは手動用柔軟剤収容部、１４はメイン給水経路（給水経路）、１５は給水ダクト、１６はメイン給水弁（給水弁）、１７、４９は柔軟剤用給水弁、１９は接続口、２０、４６は柔軟剤用給水経路、２３は注水口、２４、５１は柔軟剤用注水口、２５は洗剤供給部、２６は水抜き経路、２７はタンクケース、２８はポンプ、２９は前扉、３０は洗剤タンク、３１は柔軟剤タンク、４４は第１給水経路、４５は第２給水経路、４７は自動用給水弁、４８は手動用給水弁、５０は洗剤用注水口を示す。
【図１】
2020108698.tif 000003
【図２】
2020108698.tif 000004
【図３】
2020108698.tif 000005
【図４】
2020108698.tif 000006
【図５】
2020108698.tif 000007
【図６】
2020108698.tif 000008
【図７】
2020108698.tif 000009
【図８】
2020108698.tif 000010
【図９】
2020108698.tif 000011
【図１０】
2020108698.tif 000012
【図１１】
2020108698.tif 000013
【図１２】
2020108698.tif 000014